(57)【要約】【課題】本発明は電子信号ノイズ防止装置に関するものである。【解決手段】本発明に関わる電子信号ノイズ防止装置はノイズに対して吸収若しくは防止作用をなすと共に、電子信号波形を修正し又は波形不調をなくし、それによって元の電子信号に戻すための少なくとも高温焼成して陶器化した酸化アルミニウム（Al2O3）からなる。【選択図】図１
2008004946.tif 000002
【特許請求の範囲】
【請求項１】
主として高温焼成して陶器化した酸化アルミニウム（Al2O3）及び酸化鉄（III）（Fe2O3）、酸化マンガン（MnO）、二酸化珪素（SiO2）の成分の一つ又はその組合せからなることを特徴とする電子信号ノイズ防止装置。
【請求項２】
さらに、酸化コバルト（Co3O4）、酸化ニッケル（NiO）、酸化クロム（III）（Cr2O3）、酸化銅（II）（CuO）、酸化チタン（TiO2）、酸化マグネシウム（MgO）及び酸化カルシウム（CaO）の成分の一つ又はその組合せからなることを特徴とする請求項１に記載する電子信号ノイズ防止装置。
【請求項３】
上記各成分の重量パーセンテージが下記の通りであることを特徴とする請求項２に記載する電子信号ノイズ防止装置。
酸化アルミニウム（Al2O3）  70-95；
酸化鉄（III）（Fe2O3）  1.0-4.0；
酸化マンガン（MnO）  0.7-3.5；
二酸化珪素（SiO2）  0.7-3.5；
酸化コバルト（Co3O4）  0.5-3.0；
酸化ニッケル（NiO）  0.5-3.0；
酸化クロム（III）（Cr2O3）  0.3-3.0；
酸化銅（II）（CuO）  0.3-3.0；
酸化チタン（TiO2）  0.3-3.0；
酸化マグネシウム（MgO）  1.5より小；
酸化カルシウム（CaO）  1.0より小。
【請求項４】
上記の電子信号ノイズ防止装置が、
前記酸化アルミニウムの粉末材料を提供する工程と、
前記酸化アルミニウムとその他の成分である酸化物の粉末材料を均等に混合させる工程と、
前記粉末材料をプレス成型して成型材料とする工程と、
前記成型材料を高温焼成し、前記電子信号ノイズ防止装置を製作する工程であることを特徴とする請求項１に記載する電子信号ノイズ防止装置。
【請求項５】
前記電子信号ノイズ防止装置の形状が、リング状、プレート状、バー状、針状、中空円柱状、中の詰まった円柱状若しくは粉末状であり、粉末状は前記高温焼成した成型材料を研磨して粉末状にしたものであることを特徴とする請求項４に記載する電子信号ノイズ防止装置。
【請求項６】
上記の焼成工程が、
予熱工程：１２−１８時間かけて前記製造工程温度を室温から約１３５０℃―１６５０℃に加熱する工程と、
等温工程：前記製造工程温度を約１３５０℃―１６５０℃に維持すると共に、約４−８時間持続させる工程と、
降温工程：約４−８時間かけて前記製造工程温度を約１３５０℃―１６５０℃から室温に下げる工程を順番に実行し、その製作工程の温度を変化させることを特徴とする請求項４に記載する電子信号ノイズ防止装置。
【発明の詳細な説明】
【技術分野】
【０００１】
本発明は電子信号ノイズ防止装置に関し、特に高温焼成して陶器化した酸化アルミニウム（Al2O3）の電子信号ノイズ防止装置に関する。
【背景技術】
【０００２】
従来のオーディオ部品や設備（例：プレーヤー、増幅器、拡声器、マイク、イヤホン、携帯電話、パソコンの音響効果カード、ワイヤレスオーディオ設備、テレビ、配線部材）において、電子信号は容易く外部環境（周辺環境の空気中に含まれる高周波、静電気、放射線等）の影響を受けてノイズを生じたり、又は配線部材、設備内部の電子部品や回路から生じるノイズの影響を受けたりして、終には拡声器から生じる音質が低下したりひいては本来のものと異なったりする。
【０００３】
例えば、一般の配線部材を使用している音響設備について、電子信号は音響メイン機器で処理されて配線部材から拡声器に送られる過程で、線材自体に抵抗効果、コンデンサー効果及びインダクタンス効果が備わっており、こうした効果が影響して音響メイン機器から出力する電子信号に衰えが生じたり、左右の声音位相に不一致な現象が生じたりする。
このほか、前述した外部環境及び設備内部の電子部品若しくは回路から生じるノイズの影響の様に、音響メイン機器から出力する電子信号も異なる強度や数量のノイズも加わって出力音質を低下させている。
上記のこうした欠点は高伝導効率でシールド保護機能を備えた配線部材を使用することで改善が図られるが、特殊線材の製造費が嵩むため、普遍的且つ効率的な改良方式とは言えない。
しかも配線部材が改善されても前述の外部環境や設備内部の電子部品や回路から生じるノイズの影響は依然として改善できていない。
【０００４】
オーディオ部品や設備以外のオーディオ以外の場合について、例えばイメージ信号を処理したり伝送したりする部品も似たような問題を抱えている。
以上述べたデメリットを考慮して、電子信号が処理、伝送過程で受けるノイズ干渉を低下させるための簡便で有効な電子信号ノイズ防止装置の提示が急務である。
【発明の開示】
【発明が解決しようとする課題】
【０００５】
上記の従来技術の様々なデメリットを考慮し、本発明の目的の一つはノイズの吸収若しくは防止作用をすると共に、電子信号波形を修正し又は波形不調をなくし、それによって元の電子信号に戻すための電子信号ノイズ防止装置を提供することにある。
【課題を解決するための手段】
【０００６】
上記の目的に基づいて、本発明はノイズの吸収若しくは防止作用をすると共に、電子信号波形を修正し又は波形不調をなくし、それによって元の電子信号に戻すための少なくとも高温焼成して陶器化した酸化アルミニウム（Al2O3）からなる電子信号ノイズ防止装置を提供する。
【発明の効果】
【０００７】
本発明によればノイズの吸収若しくは防止作用をすると共に、電子信号波形を修正し又は波形不調をなくし、それによって元の電子信号に戻すための電子信号ノイズ防止装置を提供することにある。
【発明を実施するための最良の形態】
【０００８】
本発明の実施例は以下に詳細に記述する。然しながら、詳細に記述するだけでなく、本発明はさらに広くその他の実施例も実行することができ、また本発明の範囲はこうした実施例に限定されず、特許申請の範囲を基準とする。
【実施例】
【０００９】
本発明が開示する電子信号ノイズ防止装置の材質成分は主として酸化アルミニウム（Al2O3）とその他の酸化物の粉末からなり、割合に応じて均等に混合してからプレス成型してさらに高温焼成して陶器化し、その物理的特性（磁気及び周波数）に変化を生じせしめたものである。
ノイズを帯びた電子信号は該電子信号ノイズ防止装置を通すことでノイズに対して吸収又は防止作用をすると共に、電子信号波形を修正し又は波形不調をなくし、それによって元の電子信号に戻す。
以下に述べる実施例はオーディオ部品又は設備（例：プレーヤー、増幅器、拡声器、マイク、イヤホン、携帯電話、パソコンの音響効果カード、ワイヤレスオーディオ設備、テレビ、配線部材）を例にとるが、本発明が開示する電子信号ノイズ防止装置はオーディオ以外のケースにも同様に適用することができ、例えばイメージ信号の処理及び伝送の部品若しくは設備に使用される。
オーディオ電子信号の処理/伝送やイメージ信号の処理/伝送の両者に共通点があるので、オーディオ分野の電子信号ノイズ防止装置もイメージシステムに適用することができるが、本件は当業者の熟知するところにより、本明細書ではこれ以上贅言しないこととする。
【００１０】
本発明の実施例において、電子信号ノイズ防止装置は酸化アルミニウム（Al2O3）からなる他に、さらに酸化鉄（III）（Fe2O3）、酸化マンガン（MnO）、二酸化珪素（SiO2）の成分の一つ又はその組合せからなることもできる。本発明の実施例において、電子信号ノイズ防止装置の効果を一層上げるために、酸化コバルト（Co3O4）、酸化マンガン（MnO）、酸化クロム（III）（Cr2O3）、酸化銅（II）（CuO）、酸化チタン（TiO2）、酸化マグネシウム（MgO）及び酸化カルシウム（CaO）の成分の一つ又はその組合せからなることも可能である。上記に掲げた成分以外に、本発明の電子信号ノイズ防止装置はさらにその他の成分を含むことも可能である旨特記する。
また、上記の各種成分は列挙方式であるが、各成分の特性が同じか若しくは類似している旨を表わしているわけではなく、実際には各種成分は各々個別の特性を備えている。本発明における一つの実施例に基づくと、本発明の電子信号ノイズ防止装置の各成分の重量のパーセンテージ（ｗｔ％）は下記に示す通りである。
酸化アルミニウム（Al2O3）  70-95
酸化鉄（III）（Fe2O3）  1.0-4.0
酸化マンガン（MnO）  0.7-3.5
二酸化珪素（SiO2）  0.7-3.5
酸化コバルト（Co3O4）  0.5-3.0
酸化ニッケル（NiO）  0.5-3.0
酸化クロム（III）（Cr2O3）  0.3-3.0
酸化銅（II）（CuO）  0.3-3.0
酸化チタン（TiO2）  0.3-3.0
酸化マグネシウム（MgO）  1.5より小
酸化カルシウム（CaO）  1.0より小
【００１１】
本発明の実施例に基づく電子信号ノイズ防止装置の製作フローチャートは下記の通りである。まず、上記の成分の一部若しくは全部又はその他の材質の粉末材料を選択し、その成分割合により均等に混合する。続いて混合した粉末材料を成型プレスする。
この工程は模型を選んで混合した粉末材料を各種形状の成型材料にプレス成型することができる。応用されるケースのニーズに基づき、その形状は、リング状、プレート状、バー状、針状、中空円柱状、中の詰まった円柱状若しくはその他の形状でもよい。
そして成型材料を電気コンロ（例：トンネル式電気コンロ）に入れて高温焼成を実行すると、電子信号ノイズ防止装置の製作が完成する。
本実施例において、高温焼成の工程順序は、予熱工程、等温工程及び降温工程となる。
そのうち、予熱工程では、約１２−１８時間かけて電気コンロ内の製造工程温度を室温から約１３５０℃―１６５０℃の高温に加熱し、等温工程では、コンロ内の製造工程温度を約１３５０℃―１６５０℃に維持すると共に、約４−８時間持続させ、最後に、降温工程に入り、約４−８時間かけて製造工程温度を約１３５０℃―１６５０℃から室温に下げると、電子信号ノイズ防止装置の焼成が完了する。本実施例において、適度な高温の範囲は１３５０℃―１６５０℃であるもののこの限りではない。
酸化アルミニウム（Al2O3）及びその他の成分が陶器化してノイズ防止特性を備えた温度範囲であれば本明細書に言う高温となる。
上記の高温焼成した成型材料は電子信号ノイズの防止が必要な箇所に貼り付けるためにさらに粉末状に研磨することもできる。
例えば、糊やテープでこうした高温の粉末を電子信号ノイズの防止が必要な箇所に貼り付けることができる。
【００１２】
以下、図１、図２を併せて本発明の電子信号ノイズ防止装置が実際に使用されるのを例を挙げて説明する。
図１は本発明の電子信号ノイズ防止装置が配線部材に使用された使用概略図である。
図示するように、リング状にプレス成型された電子信号ノイズ防止装置１０１はそれぞれ配線部材１０２の両端に固定される。そしてこの両端は音響メイン機器や増幅器又は増幅器や拡声器でもよい。
本使用例においては、電子信号ノイズ防止装置１０１の形状はリング状であるがこの限りではない。
例えば、プレート状電子信号ノイズ防止装置１０１で配線部材１０２を覆ってもよく、又はバー状電子信号ノイズ防止装置１０１で配線部材１０２の周囲に固定してもよい。
上記の電子信号ノイズ防止装置１０１を使用して配線部材１０２に伝送された電子信号のノイズは効果的に抑えられ又は防止される。
例を挙げると、リング状電子信号ノイズ防止装置１０１を音響メイン機器や増幅器に接続する配線部材１０２に取り付けると、小さな信号範囲の電子信号が電子信号ノイズ防止装置１０１を通ってオーディオ電子信号のノイズ（即ち、オーディオ電子信号の波形不調）を除去する。
また、電子信号ノイズ防止装置１０１が増幅器や拡声器に接続する配線部材１０２に取り付けられると、増幅器で処理された後の電子信号が電子信号ノイズ防止装置１０１を通して電子信号波形の不調（オーディオ電子信号のノイズ）を除去して該電子信号を拡声器に入力する。
【００１３】
図２は本発明の電子信号ノイズ防止装置１０１が増幅器のオーディオ回路基板に応用された使用概略図である。
図示されるように、プレート状やバー状にプレス製作された電子信号ノイズ防止装置１０１を増幅器１０３の入力端接続装置１０５及び出力端接続装置１０７の位置に固着若しくは貼り付けると、増幅器１０３内の電子信号のノイズを除去若しくは防止することができる。
ノイズ防止効果を高めるために、板状、バー状、プレート状或いは粉末状の電子信号ノイズ防止装置を増幅器のオーディオ回路基板１０８の集積回路、金属巻き線表面に貼り付けることもできる。
【００１４】
本発明の電子信号ノイズ防止装置が確実に電子信号ノイズを防止する効果を果たすことを実証するために、本発明人は図３A乃至図３C及び図４A乃至図４Cに示すような実験検査結果の比較を提示する。
図３Aは本発明の電子信号ノイズ防止装置のアナロジー電子信号に対する検査システムを示している。
図３B及び図３Cは図３Aの検査システムを使用して得られた検査結果で、それぞれ電子信号ノイズ防止装置未使用と電子信号ノイズ防止装置使用の状況に対応している。
図３Aで示すように、パソコン２０１が周波数スペクトラム・アナライザー２０２の信号発生装置を制御することによって周波数が１KHzのアナロジー電子信号を発生させ、第一配線部材２０３から当該電子信号を増幅器２０４に伝送する。
当該１KHｚの電子信号は増幅器２０４での処理をした後、再び第二配線部材２０５を経由して周波数スペクトラム・アナライザー２０２に伝送されて信号の周波数領域分析を行う。
本検査例において、周波数スペクトラム・アナライザー２０２は米国Audio Precision社製造のAudio Precision System Two Audio Analyzerを使用している。
当該周波数スペクトラム・アナライザー２０２は高速フーリエ変換（FFT）を利用して電子信号を時間領域から周波数領域に転換しており、電子信号の時間領域上の変化が通常信号の特性を見出し難いので、周波数領域のエネルギー分布に転換して観察すると、異なったエネルギー分布は信号の異なった特性を代表することができる。
図３B（電子信号ノイズ防止装置未使用）と図３C（電子信号ノイズ防止装置使用）を比較すると、本発明の電子信号ノイズ防止装置を使用すると、ノイズ強度が−８０ｄBV前後（図３B）から−９０ｄVB前後（図３C）に低下しているのが分かる。
両者の差異を更に細部に渡って比較するために、以下表１で図３Bと図３Cを比較した部分検査データを示している。
［表１］
2008004946.tif 000003
【００１５】
表１で示すように、電子信号ノイズ防止装置を使用する際、ノイズ強度は電子信号ノイズ防止装置を使用していないノイズ強度よりも低い。
例えば、９４２Hzの箇所では、電子信号ノイズ防止装置を使用したノイズ強度−９２.０３dBVは電子信号ノイズ防止装置を使用していないノイズ強度−２１.３５dBVより小さい。
また、１１３０Hzの箇所では、電子信号ノイズ防止装置を使用したノイズ強度−９１.１６dBVは電子信号ノイズ防止装置を使用していないノイズ強度−１２.８４より小さい。
上記のデータは電子信号ノイズ防止装置を使用するとノイズが明らかに低下して、音声が一層明晰に聞こえるという証明を示している。
【００１６】
図４Aは本発明の電子信号ノイズ防止装置のデジタル電子信号に対する検査システムを示している。
図４Bと図４Cは図４Aの検査システムを使用して得られた検査結果で、それぞれ電子信号ノイズ防止装置未使用と電子信号ノイズ防止装置使用の状況に対応している。
図４Aで示すように、まず周波数スペクトラム・アナライザー２０２が１ｋHzのアナロジー電子信号をパソコン２０１に送り出すと共に、パソコン２０１が当該アナロジー電子信号をMP3様式のデジタル電子信号に転換し、再び第一配線部材２０６及びUSBを経由して（図未表示）、MP3プレーヤー２０７に伝送する。
そしてMP3プレーヤー２０７のプレー処理をするとアナロジー電子信号が発生し、再び第二配線部材２０８を経由して周波数スペクトラム・アナライザー２０２に伝送されて信号の周波数領域の分析を行う。
図４B（電子信号ノイズ防止装置未使用）と図４C（リング状電子信号ノイズ防止装置をUSBに嵌める）を比較すると、本発明の電子信号ノイズ防止装置を使用すると、ノイズ強度が−１２０ｄBV以上（図４B）から−１２０ｄVB以下（図４C）に低下しているのが分かる。
両者の差異を更に細部に渡って比較するために、以下表２で図４Bと図４Cを比較した部分検査データを示している。
［表２］
2008004946.tif 000004
【００１７】
表２で示すように、電子信号ノイズ防止装置を使用した場合、ノイズ強度は電子信号ノイズ防止装置を使用していないノイズ強度よりも低くなる。
例えば、９４２Hzの箇所では、電子信号ノイズ防止装置を使用したノイズ強度−１１１.４８dBVは電子信号ノイズ防止装置を使用していないノイズ強度−１０３.４２より小さい。
また、１２２４Hzの箇所では、電子信号ノイズ防止装置を使用したノイズ強度−１１５.２８dBVは電子信号ノイズ防止装置を使用していないノイズ強度−１０７.５０より小さい。
上記のデータは電子信号ノイズ防止装置を使用するとノイズが明らかに低下して、音声が一層明晰に聞こえるという証明を示している。
【００１８】
上記内容は本発明の好ましい実施例に過ぎず、本発明の特許申請範囲を限定するものではなく、また、本発明で開示した趣旨を逸脱しない範囲において完成した等価変更若しくは補正は、全て本案における特許請求の範囲内に含まれるものとする。
【図面の簡単な説明】
【００１９】
【図１】本発明の電子信号ノイズ防止装置を配線部材に使用した使用概略図である。
【図２】本発明の電子信号ノイズ防止装置を増幅器のオーディオ回路基板に使用した使用概略図である。
【図３Ａ】本発明の電子信号ノイズ防止装置のアナロジー電子信号に対する検査システムである。
【図３Ｂ】図３Ａで検査システムで得られた検査結果を利用して、電子信号ノイズ防止装置未使用の状況に対応している。
【図３Ｃ】図３Ａで検査システムで得られた検査結果を利用して、本発明の電子信号ノイズ防止装置を使用した状況に対応している。
【図４Ａ】本発明の電子信号ノイズ防止装置のデジタル信号に対する検査システムを表示している。
【図４Ｂ】図４Ａで検査システムで得られた検査結果を利用して、電子信号ノイズ防止装置未使用の状況に対応している。
【図４Ｃ】図４Ａで検査システムで得られた検査結果を利用して、本発明の電子信号ノイズ防止装置を使用した状況に対応している。
【符号の説明】
【００２０】
１０１  電子信号ノイズ防止装置
１０２  配線部材
１０３  増幅器
１０５  入力端接続装置
１０７  出力端接続装置
１０８  オーディオ回路基板
２０１  パソコン
２０２  周波数スペクトラム・アナライザー
２０３、２０６  第一配線部材
２０５、２０８  第二配線部材
２０４  増幅器
２０７  MP3プレーヤー 
【図１】
2008004946.tif 000005
【図２】
2008004946.tif 000006
【図３Ａ】
2008004946.tif 000007
【図３Ｂ】
2008004946.tif 000008
【図３Ｃ】
2008004946.tif 000009
【図４Ａ】
2008004946.tif 000010
【図４Ｂ】
2008004946.tif 000011
【図４Ｃ】
2008004946.tif 000012